(57)【要約】  【課題】  掲示体が額または写真立ての中に挟んだり固定したりされる場合に、掲示体が額または写真立ての中心からずれないように、しかも傾かないように、正確に位置決め／配置される。  【解決手段】  額または写真立ての掲示体３の裏面に対角線１３、１３が描かれて、接合体４０の対角線４１、４２、４３、…のいずれかに一致または近似させて、接合体４０が掲示体３の裏に接合される。またガイド体２０が使用されて、接合体４が掲示体３の裏に接合される。これにより、接合体４、４０の中心、水平線または垂直線と、開示体３の中心、水平線または垂直線とが一致される。さらに、接合体４、４０が裏板５の凹部７、３５内に収納され、これらが保護体２と遮光体６とに挟まれて、額縁１に固定される。  【選択図】図１
2005279190.tif 000002
【特許請求の範囲】
【請求項１】
額または写真立てに装着される掲示体の裏面に形成された、当該掲示体の中心を指し示す目印及び当該掲示体の水平線または垂直線を指し示す目印と、
この掲示体の裏面に容易に離脱しないように接合される、当該掲示体より小さい接合体であって、この接合体の中心を指し示す目印を、上記掲示体の中心を指し示す目印に一致させて接合されるとともに、この接合体の水平線または垂直線を指し示す目印を、上記掲示体の水平線または垂直線を指し示す目印に一致させて接合される接合体と、
凹部内を回動しないようにかつずれないように、この接合体を収納する当該凹部であって、上記額または写真立ての裏板の中央に形成された凹部であり、しかも接合体の中心を上記額または写真立ての中心に一致させるとともに、当該接合体の水平線または垂直線を上記額または写真立ての水平線または垂直線に一致させて収納する凹部とを備えたことを特徴とする額または写真立て。
【請求項２】
上記凹部は方形状であり、上記接合体も方形状であり、この方形状の接合体の外縁の一辺または一面が当該接合体の水平線を示し、この一辺または一面と直交する当該接合体の外縁の他辺または他面が当該接合体の垂直線を示していることを特徴とする請求項１記載の額または写真立て。
【請求項３】
上記掲示体は方形状であり、この方形状の掲示体の外縁の一辺または一面が当該掲示体の水平線を示し、この一辺または一面と直交する当該掲示体の外縁の他辺または他面が当該掲示体の垂直線を示していることを特徴とする請求項１または２記載の額または写真立て。
【請求項４】
上記接合体の一部又は全体は磁性体であり、上記裏板の凹部の奥には、当該磁性体と吸着する磁性体が配置されていることを特徴とする請求項１、２または３記載の額または写真立て。
【請求項５】
互いに直交する少なくとも２本の直線状の縁を有するガイド体の１本の直線状の縁が上記掲示体の外縁に当接され、当該ガイド体の他方の直線状の縁が上記接合体の外縁に当接され、これにより掲示体の水平線または垂直線が接合体の水平線または垂直線に一致されることを特徴とする請求項１、２、３または４記載の額または写真立て。
【請求項６】
上記接合体の中央または全体は透明であり、この透明の接合体に、複数種類の対角線の一部または全部が形成され、この複数種類の対角線は、長辺と短辺との比がそれぞれ異なる複数種類の方形の対角線に対応しており、これら各種類の複数の対角線が当該接合体の上記中心を指し示す目印及び水平線または垂直線を指し示す目印であり、上記掲示体の裏面にも当該掲示体の形状に対応する複数の対角線が形成され、当該対角線が当該掲示体の上記中心を指し示す目印及び水平線または垂直線を指し示す目印であることを特徴とする請求項１、２、３、４または５記載の額または写真立て。
【請求項７】
上記接合体の透明部分の裏面は遮光体で覆われ、上記額または写真立ての背後からの光が掲示体にまで到達しないことを特徴とする請求項６記載の額または写真立て。
【請求項８】
上記複数種類の対角線は、色違い、太さ違い、形状違い、長さ違いまたは位置違いで形成され、対角線の各種類が区別されることを特徴とする請求項６または７記載の額または写真立て。
【請求項９】
上記接合体の周縁には複数の切り欠き部が形成され、この切り欠き部から上記掲示体裏面にかけて連結接合体が接着されることを特徴とする請求項１、２、３、４、５、６、７または８記載の額または写真立て。
【請求項１０】
上記掲示体は方形のシート状であり、上記接合体は方形の板状であり、上記額または写真立ては方形状であり、上記掲示体の表面には透明の方形の板状の保護体が接合されることを特徴とする請求項１、２、３、４、５、６、７、８または９記載の額または写真立て。
【請求項１１】
額または写真立てに装着される掲示体の裏面に、当該掲示体の中心を指し示す目印及び当該掲示体の水平線または垂直線を指し示す目印を形成し、
この接合体の中心を指し示す目印を、上記掲示体の中心を指し示す目印に一致させ、この接合体の水平線または垂直線を指し示す目印を、上記掲示体の水平線または垂直線を指し示す目印に一致させて、上記掲示体の裏面に容易に離脱しないように、当該掲示体より小さい接合体を接合し、
上記接合体の中心を上記額または写真立ての中心に一致させるとともに、当該接合体の水平線または垂直線を上記額または写真立ての水平線または垂直線に一致させて、上記額または写真立ての裏板の中央に形成された凹部内を回動しないようにかつずれないように、当該凹部内に接合体を収納することを特徴とする額または写真立ての製造方法。
【請求項１２】
上記接合体の中央または全体は透明であり、この透明の接合体に、複数種類の対角線の一部または全部が形成され、この複数種類の対角線は、長辺と短辺との比がそれぞれ異なる複数種類の方形の対角線に対応しており、これら各種類の複数の対角線が当該接合体の上記中心を指し示す目印及び水平線または垂直線を指し示す目印であり、上記掲示体の裏面にも当該掲示体の形状に対応する複数の対角線が形成され、当該対角線が当該掲示体の上記中心を指し示す目印及び水平線または垂直線を指し示す目印であることを特徴とする請求項１１記載の額または写真立ての製造方法。
【発明の詳細な説明】
【技術分野】
【０００１】
本発明は、額または写真立て及びその製造方法に関するものである。
【背景技術】
【０００２】
額または写真立ては、絵画、写真、書画、賞状、証明書、特許証、登録証などの掲示体を、中に挟み込んだり固定したりして掲示するものである。
【０００３】
【特許文献１】登録実用新案３０２８０５３号公報（図１及び図３）
【発明の開示】
【発明が解決しようとする課題】
【０００４】
しかしながら、このような掲示体を額または写真立ての中に挟んだり固定したりする場合に、掲示体を額または写真立ての中心からずれないように、しかも傾かないように、正確に位置決めするのはなかなか難しかった。
【０００５】
本発明は、このような課題を解決するためになされたものであり、容易にしかも簡単な操作で、掲示体を額または写真立ての中心からずれないように、しかも傾かないように、正確に位置決め／配置して、額または写真立ての中に掲示体を挟んだり固定したりすることができる額または写真立てを提供することを目的とする。
【課題を解決するための手段】
【０００６】
上記目的を達成するために、本発明は、額または写真立てに装着される掲示体の裏面に、当該掲示体の中心を指し示す目印及び当該掲示体の水平線または垂直線を指し示す目印を形成し、  この接合体の中心を指し示す目印を、上記掲示体の中心を指し示す目印に一致させ、この接合体の水平線または垂直線を指し示す目印を、上記掲示体の水平線または垂直線を指し示す目印に一致させて、上記掲示体の裏面に容易に離脱しないように、当該掲示体より小さい接合体を接合し、  上記接合体の中心を上記額または写真立ての中心に一致させるとともに、当該接合体の水平線または垂直線と上記額または写真立ての水平線または垂直線に一致させて、上記額または写真立ての裏板の中央に形成された凹部内を回動しないようにかつずれないように、当該凹部内に接合体を収納するようにした。
【発明の効果】
【０００７】
これにより、掲示体を額または写真立ての中に挟んだり固定したりする場合に、掲示体を額または写真立ての中心からずれないように、しかも傾かないように、正確に位置決め／配置することができる。また、接合体の大きさを変えなくても、１つの接合体だけで、種々の大きさの掲示体３を固定できる。
【発明を実施するための最良の形態】
【０００８】
（１）額の全体構成
図１はこの発明の一実施の形態に係る額の全体構成を示している。方形枠状の額縁１の裏側からは、方形板状の保護体２、方形シート状の掲示体３、方形板状の接合体４、方形板状の裏板５、方形板状の遮光体６の順で積層され、額縁１の裏面に多数設けられた裏止め８…によって積層固定される。このうち方形状の保護体２、方形状の裏板５及び方形板状の遮光体６は、ほぼ同型同大である。
【０００９】
方形シート状の掲示体３は、絵画、写真、書画、賞状、証明書、特許証、登録証などであり、方形状の裏板５と同じ大きさまたは方形状の裏板５より小さい。この掲示体３は方形状であり、この方形状の掲示体３の外縁の一辺または一面が当該掲示体３の水平線を示し、この一辺または一面と直交する当該掲示体３の外縁の他辺または他面が当該掲示体３の垂直線を示している。
【００１０】
上記裏板５の中心には方形状の透孔の凹部７が形成されている。上記額縁１、接合体４、裏板５、遮光体６は光を通さない材質からなっている。しかし、透明でもよい。掲示体３も光を通さない材質からなっているが、薄いので光を若干通す。掲示体３は透明でもよい。
【００１１】
上記掲示体３の裏面中央には、方形状の接合体４が接着テープ１０で接合される。この方形状の接合体４の外縁は、上記裏板５の凹部７の内縁にほぼ一致していて、両者とも方形状であるので、接合体４が凹部７内を回動したりずれたりせず、両者の間に隙間ができず（但し切り欠き部１４は除く）、当該凹部７内に接合体４が収納固定される。
【００１２】
この接合体４は方形状であり、この方形状の接合体４の外縁の一辺または一面が当該接合体４の水平線を示し、この一辺または一面と直交する当該接合体４の外縁の他辺または他面が当該接合体の垂直線を示している。
【００１３】
（２）接合体４
図２は上記接合体４を示す。この接合体４の中心には方形状の透明体１１がはめ込まれている。この透明体１１の表面には２本の対角線１２、１２が形成されている。掲示体３の裏面には方形状の掲示体３の四角を結ぶ対角線１３、１３が形成され、この対角線１３、１３の交点と、上記接合体４の対角線１２、１２の交点とが一致するように、接合体４が掲示体３の裏面に位置決めされる。これにより、掲示体３の中心と接合体４の中心とが一致する。
【００１４】
長方形の接合体４の長辺の両端付近の周縁には、Π字状の切り欠き部１４…が４つ形成されている。この切り欠き部１４…から上記掲示体３の裏面にかけて上記接着テープ１０などの連結接合体が接着される。これにより、接合体４が掲示体３の裏面に接着固定される。
【００１５】
また、接合体４を掲示体３に接合したあと、裏板５の凹部７内に接合体４を収納させるとき、接着テープ１０（連結接合体）が凹部７内縁に引っかかって、接合体４が掲示体３からずれてしまうことがなくなる。接合体４は上記掲示体３より小さく、額または写真立ての表面から当該接合体４は見えない。
【００１６】
また、この接合体４は、上記凹部７の無い裏板５の中央部を切り抜いて、切り抜いた板をそのまま接合部４に転用してもよい。これにより、接合体４とともに凹部７を同時に形成できる。また、接合体４の材料が不要となり、安価になる。さらに、接合体４の大きさを変えなくても、１つの接合体４だけで、種々の大きさの掲示体３を固定できる。
【００１７】
（３）ガイド体２０
図３はＬ字状のガイド体２０を示す。このガイド体２０は互いに直交する２本の直線状のガイド帯２１、２２からなり、このうち短い方のガイド帯２２の下面（表面側）には、細い帯板状の当接帯２３が積層され、この当接帯２３の下面（表面側）には規制帯２４がさらに積層されている。この規制帯２４の幅は当接帯２３の幅より太く、ガイド帯２２の幅は当接帯２３の幅よりかなり太くなっている。
【００１８】
当接帯２３の内縁２５は直線状の縁となっており、ここに上記掲示体３の外縁が当接し、上記長い方のガイド帯２１の内縁２６は直線状の縁となっており、ここに上記接合体４の外縁が当接し、これにより掲示体３の水平線または垂直線が接合体４の水平線または垂直線に一致される。
【００１９】
当接帯２３の内縁２５は、ガイド帯２２と規制帯２４とに挟まれているので、内縁２６に当接する掲示体３は、内縁２６から容易に離脱しないようになっていて、掲示体３の位置あわせが容易となる。この接合体４と掲示体３との水平線または垂直線の一致と上記中心の一致の後に、上記接着テープ１０の張り付けが行われ、接合体４が掲示体３に容易に離脱しないように接合／接着／付着される。
【００２０】
上記凹部７は裏板５、保護体２及び額縁１の中央／中心に形成されており、凹部７の長辺は上記裏板５、保護体２及び額縁１の長辺と平行であり、凹部７の短辺は上記裏板５、保護体２及び額縁１の短辺と平行である。したがって、接合体４の中心は上記額または次述する写真立ての中心に一致するし、当該接合体４の水平線または垂直線は上記額または次述する写真立ての水平線または垂直線に一致することになる。
【００２１】
この結果、掲示体３の中心も、額または次述する写真立ての中心に一致するし、当該掲示体３の水平線または垂直線は上記額または次述する写真立ての水平線または垂直線に一致することになる。これにより、掲示体３を額または次述の写真立ての中心からずれないように、しかも傾かないように、正確に位置決めすることができる。
【００２２】
（４）写真立て
図４はこの発明の一実施の形態に係る写真立ての全体構成を示している。方形板状の保護体２の裏側から、方形シート状の掲示体３、方形板状の接合体４、方形板状の裏板５の順で積層される。保護体２の四隅及び裏板５の四隅には透孔３１…、３２…が形成され、この透孔３１…、３２…を挟んで雄ねじピン３３…と雌ねじピン３４…とが連結螺合され、これにより保護体２と裏板５とが積層固定される。このうち方形状の保護体２及び方形状の裏板５は、ほぼ同型同大である。
【００２３】
方形シート状の掲示体３は、絵画、写真、書画、賞状、証明書、特許証、登録証などであり、方形状の裏板５と同じ大きさまたは方形状の裏板５より小さい。上記裏板５の中心には方形状の奥底のある凹部３５が形成されている。上記接合体４、裏板５は光を通さない材質からなっている。しかし、透明でもよい。掲示体３も光を通さない材質からなっているが、薄いので光を若干通す。掲示体３は透明でもよい。
【００２４】
上記掲示体３の裏面中央には、方形状の接合体４が接着テープ１０で接合される。この方形状の接合体４の外縁は、上記裏板５の凹部３５の内縁にほぼ一致していて、両者とも方形状であるので、接合体４が凹部３５内を回動したりずれたりせず、当該凹部３５内に接合体４が収納固定される。
【００２５】
上記接合体４の一部又は全体は磁性体であり、上記裏板の凹部の奥には、当該磁性体の接合体４と吸着する板状の磁性体３６が配置されている。したがって、凹部３５内の磁性体３６に接合体４が吸着固定される。これらの磁性体としては一方が永久磁石、他方がこの永久磁石に吸着される永久磁石、鉄、ニッケル、これらの合金等である。他の構成作用は上記図１、図２、図３の額と同じである。
【００２６】
（５）透明の接合体４
図５は、全体が透明の接合体４０を示す。この接合体４０の表面には、２本ずつの複数種類（３種類）の対角線４１、４１、４２、４２、４３、４３の一部または全部が形成されている。これらの対角線４１、４１、４２、４２、４３、４３は、長辺と短辺との比がそれぞれ異なる複数種類の方形の対角線に対応している。この比は例えば、１：「ルート２」（Ａサイズ、Ｂサイズ）、１０：１２（八つ切り、四つ切り等）、１１：１４（大八つ切り、大四つ切り等）、６．５：４．７５（キャビネサイズ）、５：７（大キャビネサイズ）などである。
【００２７】
上記複数種類の対角線４１、４１、４２、４２、４３、４３は、それぞれ互いに、色が異なっていたり、太さが異なっていたり、形状が異なっていたり、長さが異なっていたり、位置が異なっている。形状の違いは、直線、点線、破線、１点鎖線、２点鎖線などの違いである。これにより、各対角線４１、４１、４２、４２、４３、４３の各種類が区別され、接合体４０の位置決め／配置を混乱せずに行うことができる。
【００２８】
この透明の接合体４０の裏面、または上記真ん中に透明体１１を有する接合体４の裏面は、上記板状の遮光体６で覆われ、または遮光体６と同じ役目をする上記磁性体３６で覆われる。これにより、額または写真立ての背後からの光が掲示体３にまで到達せず／投影せず／透けず、掲示体３の美観を損ねることなく美しく見ることができる。
【００２９】
これら各種類の複数の対角線４１、４１、４２、４２、４３、４３は、当該接合体４０の中心を指し示す目印及び水平線または垂直線を間接的に指し示す目印となる。そして、上記掲示体３の裏面にも当該掲示体３の形状に対応する複数の対角線１３、１３が形成され、当該対角線１３、１３が当該掲示体３の上記中心を指し示す目印及び水平線または垂直線を間接的に指し示す目印となる。なぜなら、各対角線４１、４１、４２、４２、４３、４３、１３、１３、１２、１２の交点を通る、各対角線４１…の中央二等分線は水平線及び垂直線に一致するからである。
【００３０】
したがって、掲示体３の裏の対角線１３、１３を、接合体４０の表面の対角線４１、４１、４２、４２、４３、４３の何れかに一致または均等に接近させれば、接合体４０の中心及び水平線または垂直線と、掲示体３の中心及び水平線または垂直線とを結果的に同時に一致させることができる。
【００３１】
掲示体３の裏面には垂直線及び水平線より対角線１３を描く方が格段に容易であり、その分、接合体４、４０を掲示体３の裏に簡単かつ迅速に位置決め／配置できる。他の構成作用は上記図１、図２、図３の額及び／または図４の写真立てと同じである。
【００３２】
（６）掲示体３の中心点５２、垂直線５０及び水平線５１
図６乃至図７は、掲示体３の裏面の中心、垂直線、水平線を直接的に指し示す実施態様である。図６の方形の四角からコンパスで同じ半径で円弧を描き、各円弧の交点を結んで、方形の各辺の垂直二等分線を描いたものである。垂直／縦の垂直二等分線が垂直線５０を示し、水平／横の垂直二等分線が水平線５１を示し、これら垂直線５０及び水平線５１の交点が中心点５２となる。正方形や、切り欠きのある方形は、この図６の手法で垂直線５０、水平線５１及び中心点５２が形成される。
【００３３】
図７の円の表面の絵または写真の内容から、最下点５４または最上点５４を決定する。この最下点／最上点５４を中心としてコンパスで円弧を描き、この円弧と円の掲示体３の外縁との２つの交点からさらにコンパスで円弧を描き、この円弧の交点と、上記最下点／最上点５４を結べば、これが垂直線５０となる。この垂直線５０と円の掲示体３の外縁との他の交点がもう一つの最下点／最上点５４となる。
【００３４】
この２つの最下点／最上点５４を中心として円弧を描いて各円弧の交点を結ぶと、水平線５１となる。これら垂直線５０及び水平線５１の交点が中心点５２となる。楕円や、切り欠きのある円でも、この図７の手法で垂直線５０、水平線５１及び中心点５２が形成される。なお、これら図６及び図７の実施態様では、接合体４、４０の表面にも、対角線１２、４１、４２、４３の代わりに、垂直線及び水平線の全体または一部が形成されることになる。
【００３５】
（７）額または写真立ての製造方法
上述の記載内容でも額または写真立ての製造方法は示されているが、以下にあらためて明示する。当該製造方法は以下の手順で実行される。
（ａ）掲示体３の裏面に、当該掲示体３の中心点、水平線または垂直線を形成する。この水平線または垂直線は対角線１３で代用可能である。
（ｂ）接合体４、４０の中心点を、（ａ）の掲示体３の中心点に一致させ、この接合体４、４０の水平線または垂直線（または対角線１２、４１、４２、４３）を、上記掲示体３の水平線または垂直線（または対角線１３）に一致させる。
【００３６】
（ｃ）掲示体３の裏面に（ｂ）の接合体４、４０を接着テープ１０で貼り付けて容易に離脱しないようにする。
（ｄ）裏板５の凹部７、３５内を回動しないようにかつずれないように、当該凹部７、３５内に（ｃ）の接合体４、４０を収納する。
【００３７】
（８）他の実施の形態
本発明は、上記実施例に限定されず、種々変更可能である。例えば、掲示体３の裏面及び接合体４、４０の表面には一対の対角線ではなく、中央垂直線と中央水平線、中心点と碁盤目状の線群、これらの一部または全部、掲示体３及び接合体４、４０の中心と垂直線と水平線とが判別できるものならば、どのようなものが描かれてもよい。なお、上記「垂直線」の表現は「縦線」「上下線」に、上記「水平線」の表現は「横線」「左右線」にそれぞれ置き換えられてもよい。
【００３８】
凹部７、３５の内縁形状と接合体４、４０の外縁形状とは一致しているが、上記切り欠き部１４のように、部分的に一致していなくてもよい。接合体４、４０が凹部７、３５内を回動せず、ずれなければよく、接合体４、４０の中心及び垂直線並びに水平線と、裏板５及び額並びに写真たての中心及び垂直線並びに水平線とがずれなければよい。
【００３９】
保護体２は省略可能である。この場合、掲示体３の裏面が裏板５の表面に両面テープなどで接着される。額や写真立ての外形、保護体２、裏板５及び遮光体６の形状は、長方形の他、正方形、円、楕円、ひょうたん形などの曲線形、台形、菱形、平行四辺形、三角形、五角形、六角形、八角形などの多角形、直方体、立方体、球面、八面体、１２面体などの立体でもよいし、長さ／太さ／厚さは任意である。
【００４０】
掲示体３の形状は、長方形の他、正方形、円、楕円、ひょうたん形などの曲線形、台形、菱形、平行四辺形、三角形、五角形、六角形、八角形などの多角形、直方体、立方体、球面、八面体、１２面体などの立体でもよいし、長さ／太さ／厚さは任意である。
【００４１】
上記接合体４、４０及び凹部７、３５の形状は、長方形の他、正方形、円、楕円、ひょうたん形などの曲線形、台形、菱形、平行四辺形、三角形、五角形、六角形、八角形などの多角形、直方体、立方体、球面、八面体、１２面体などの立体でもよいし、長さ／太さ／厚さは任意である。
【００４２】
上記遮光体６は板、磁性体３６のほか、接合体４、４０の裏面に貼り付けられるシール、布、金属箔でもよいし、同じく裏面に塗布される遮光性の塗料でもよいし、遮光できれば何でもよい。接合体４の透明体１１は、接合体４の中央だけでなく、接合体の四隅、外周縁などに形成されてもよい。
【００４３】
接合体４、４０は、掲示体３の裏面に、接着テープ１０のほか、両面テープ、接着剤、画鋲、針ピン、ホチキスのピン、磁石などで容易に離脱できないように接合されてもよい。この磁石の場合、接合体４及び掲示体３の一方は、鉄、ニッケル、これらの合金、磁石シートなどからなり、他方は磁石シート等からなる。
【００４４】
上記ガイド体２０の形状は、Ｌ字状、Ｔ字状、＋字状、キ字状、＃字状など、どのような形状でもよく、内縁２５と内縁２６とが直交していて、接合体４、４０と掲示体３との垂直線または水平線とを一致させることができれば、どのような形状でもよい。
【００４５】
（９）他の発明の効果
［１］額または写真立てに装着される掲示体の裏面に形成された、当該掲示体の中心を指し示す目印及び当該掲示体の水平線または垂直線を指し示す目印と、  この掲示体の裏面に容易に離脱しないように接合される、当該掲示体より小さい接合体であって、この接合体の中心を指し示す目印を、上記掲示体の中心を指し示す目印に一致させて接合されるとともに、この接合体の水平線または垂直線を指し示す目印を、上記掲示体の水平線または垂直線を指し示す目印に一致させて接合される接合体と、  凹部内を回動しないようにかつずれないように、この接合体を収納する当該凹部であって、上記額または写真立ての裏板の中央に形成された凹部であり、しかも接合体の中心を上記額または写真立ての中心に一致させるとともに、当該接合体の水平線または垂直線を上記額または写真立ての水平線または垂直線に一致させて収納する凹部とを備えたことを特徴とする額または写真立て。これにより、容易にしかも簡単な操作で、掲示体を額または写真立ての中心からずれないように、しかも傾かないように、正確に位置決め／配置して、額または写真立ての中に掲示体を挟んだり固定したりすることができる。
【００４６】
［２］上記凹部は方形状であり、上記接合体も方形状であり、この方形状の接合体の外縁の一辺または一面が当該接合体の水平線を示し、この一辺または一面と直交する当該接合体の外縁の他辺または他面が当該接合体の垂直線を示していることを特徴とする請求項１記載の額または写真立て。これにより、接合体の外縁と掲示体の外縁とを平行にすれば、額または写真立ての中に掲示体を傾かないようにすることができる。
【００４７】
［３］上記掲示体は方形状であり、この方形状の掲示体の外縁の一辺または一面が当該掲示体の水平線を示し、この一辺または一面と直交する当該掲示体の外縁の他辺または他面が当該掲示体の垂直線を示していることを特徴とする請求項１または２記載の額または写真立て。これにより、接合体の外縁と掲示体の外縁とを平行にすれば、額または写真立ての中に掲示体を傾かないようにすることができる。
【００４８】
［４］上記接合体の一部又は全体は磁性体であり、上記裏板の凹部の奥には、当該磁性体と吸着する磁性体が配置されていることを特徴とする請求項１、２または３記載の額または写真立て。これに接着剤や接着テープを使わなくても、接合体及び掲示体を裏板に固定することを特徴とするができ、接合体や裏板を接着剤や接着テープで汚さないで済む。
【００４９】
［５］互いに直交する少なくとも２本の直線状の縁を有するガイド体の１本の直線状の縁が上記掲示体の外縁に当接され、当該ガイド体の他方の直線状の縁が上記接合体の外縁に当接され、これにより掲示体の水平線または垂直線が接合体の水平線または垂直線に一致されることを特徴とする請求項１、２、３または４記載の額または写真立て。これにより、接合体及び掲示体を水平または垂直に沿って正確に位置決め／配置することができる。
【００５０】
［６］上記接合体の中央または全体は透明であり、この透明の接合体に、複数種類の対角線の一部または全部が形成され、この複数種類の対角線は、長辺と短辺との比がそれぞれ異なる複数種類の方形の対角線に対応しており、これら各種類の複数の対角線が当該接合体の上記中心を指し示す目印及び水平線または垂直線を指し示す目印であり、上記掲示体の裏面にも当該掲示体の形状に対応する複数の対角線が形成され、当該対角線が当該掲示体の上記中心を指し示す目印及び水平線または垂直線を指し示す目印であることを特徴とする請求項１、２、３、４または５記載の額または写真立て。掲示体の裏面には垂直線及び水平線より対角線を描く方が格段に容易であり、その分、接合体を掲示体の裏に簡単かつ迅速に位置決め／配置できる。
【００５１】
［７］上記接合体の透明部分の裏面は遮光体で覆われ、上記額または写真立ての背後からの光が掲示体にまで到達しないことを特徴とする請求項６記載の額または写真立て。これにより、額または写真立ての背後からの光が掲示体にまで到達せず／投影せず／透けず、掲示体の美観を損ねることなく美しく見ることができる。
【００５２】
［８］上記複数種類の対角線は、色違い、太さ違い、形状違い、長さ違いまたは位置違いで形成され、対角線の各種類が区別されることを特徴とする請求項６または７記載の額または写真立て。これにより、各対角線の区別を容易にすることができ、接合体の位置決め／配置を混乱せずに行うことができる。
【００５３】
［９］上記接合体の周縁には複数の切り欠き部が形成され、この切り欠き部から上記掲示体裏面にかけて連結接合体が接着されることを特徴とする請求項１、２、３、４、５、６、７または８記載の額または写真立て。これにより、接合体を掲示体に接合したあと、裏板の凹部内に接合体を収納させるとき、連結接合体が凹部内縁に引っかかって、接合体が掲示体からずれてしまうことがなくなる。
【００５４】
［１０］上記掲示体は方形のシート状であり、上記接合体は方形の板状であり、上記額または写真立ては方形状であり、上記掲示体の表面には透明の方形の板状の保護体が接合されることを特徴とする請求項１、２、３、４、５、６、７、８または９記載の額または写真立て。全てが方形であると、掲示体と額または写真立てとの水平線または垂直線を合わせるのが容易となるし、水平線または垂直線の一方だけを合わせれば他方は自然に合う。
【００５５】
［１１］額または写真立てに装着される掲示体の裏面に、当該掲示体の中心を指し示す目印及び当該掲示体の水平線または垂直線を指し示す目印を形成し、  この接合体の中心を指し示す目印を、上記掲示体の中心を指し示す目印に一致させ、この接合体の水平線または垂直線を指し示す目印を、上記掲示体の水平線または垂直線を指し示す目印に一致させて、上記掲示体の裏面に容易に離脱しないように、当該掲示体より小さい接合体を接合し、  上記接合体の中心を上記額または写真立ての中心に一致させるとともに、当該接合体の水平線または垂直線を上記額または写真立ての水平線または垂直線に一致させて、上記額または写真立ての裏板の中央に形成された凹部内を回動しないようにかつずれないように、当該凹部内に接合体を収納することを特徴とする額または写真立ての製造方法。これにより、容易にしかも簡単な操作で、掲示体を額または写真立ての中心からずれないように、しかも傾かないように、正確に位置決めして、額または写真立ての中に掲示体を挟んだり固定したりすることができる。
【００５６】
［１２］上記接合体の中央または全体は透明であり、この透明の接合体に、複数種類の対角線の一部または全部が形成され、この複数種類の対角線は、長辺と短辺との比がそれぞれ異なる複数種類の方形の対角線に対応しており、これら各種類の複数の対角線が当該接合体の上記中心を指し示す目印及び水平線または垂直線を指し示す目印であり、上記掲示体の裏面にも当該掲示体の形状に対応する複数の対角線が形成され、当該対角線が当該掲示体の上記中心を指し示す目印及び水平線または垂直線を指し示す目印であることを特徴とする請求項１１記載の額または写真立ての製造方法。掲示体の裏面には垂直線及び水平線より対角線を描く方が格段に容易であり、その分、接合体を掲示体の裏に簡単かつ迅速に位置決め／配置できる。
【図面の簡単な説明】
【００５７】
【図１】この発明の一実施の形態に係る額の分解斜視図を示す。
【図２】接合体４を示す。
【図３】ガイド体２０を示す。
【図４】この発明の一実施の形態に係る写真立ての分解斜視図を示す。
【図５】透明の接合体４０を示す。
【図６】方形の掲示体３の中心点５２、垂直線５０及び水平線５１の描き方を示す。
【図７】円形の掲示体３の中心点５２、垂直線５０及び水平線５１の描き方を示す。
【符号の説明】
【００５８】
１…額縁、２…保護体、３…掲示体、
４…接合体、５…裏板、６…遮光体、
７…凹部、８…裏止め、
１０…接着テープ、１１…透明体、
１２…対角線、１３…対角線、１４…切り欠き部、
２０…ガイド体、２１…ガイド帯、２２…ガイド帯、
２３…当接帯、２４…規制帯、２５…内縁、２６…内縁
３１…透孔、３２…透孔、３３…雄ねじピン、
３４…雌ねじピン、３５…凹部、３６…磁性体
４０…接合体、４１、４２、４３…対角線、
５０…垂直線、５１…水平線、
５２…中心点、５４…最下点／最上点
【図１】
2005279190.tif 000003
【図２】
2005279190.tif 000004
【図３】
2005279190.tif 000005
【図４】
2005279190.tif 000006
【図５】
2005279190.tif 000007
【図６】
2005279190.tif 000008
【図７】
2005279190.tif 000009